【手続補正書】
【提出日】平成25年6月12日(2013.6.12)
【手続補正１】
【補正対象書類名】明細書
【補正対象項目名】００１４
【補正方法】変更
【補正の内容】
【００１４】
本発明の表示制御方法は、表示対象データを表示部に表示させる際に、表示対象データについての通常表示からのスクロール開始位置へのズームイン表示と、上記スクロール開始位置からのスクロール表示と、スクロール終了位置からの上記通常表示へのズームアウト表示とが順次自動的に実行されるように表示画像信号を上記表示部に出力させる表示制御方法である。
本発明のプログラムは、表示対象データを表示部に表示させる際の、上記表示部への表示画像信号の出力を制御する演算処理装置のプログラムとして、表示対象データについての通常表示からのスクロール開始位置へのズームイン表示を実行させるステップと、上記スクロール開始位置からのスクロール表示を実行させるステップと、スクロール終了位置からの上記通常表示へのズームアウト表示を実行させるステップとを演算処理装置に実行させるプログラムである。
【手続補正２】
【補正対象書類名】明細書
【補正対象項目名】００２２
【補正方法】変更
【補正の内容】
【００２２】
図１（ｂ）は、撮像装置１００を外部のモニタ装置１０４と接続して画像再生を行う場合の例を示している。モニタ装置１０４は、撮像装置１００に対応する専用のモニタ装置でも良いし、テレビジョン受像器、或いはパーソナルコンピュータ用モニタなどが想定される。
撮像装置１００で撮像した画像を、接続したモニタ装置１０４で表示させる際、撮像装置１００が上記の自動スクロール処理による表示画像信号を外部機器に出力する機能を持つことで、自動スクロール表示をモニタ装置１０４上で見ることができる。
【手続補正３】
【補正対象書類名】明細書
【補正対象項目名】００３０
【補正方法】変更
【補正の内容】
【００３０】
表示信号出力部１２は、再生表示する画像データについて転送を受け、制御部１１の表示制御処理による指示に従って、表示画像信号を出力する。
このため表示対象として供給された画像データに対して、縮小・拡大、切り出し、回転などの処理を行って、表示画像信号を生成できる。
これにより例えば制御部１１の自動スクロール処理による制御に応じて、表示対象としている画像データについて、通常表示、ズームイン表示、スクロール表示、ズームアウト表示等を実現する表示画像信号を生成する。
そして生成された表示画像信号が、一体又は別体の表示部１３で表示出力されたり、外部機器接続部１４から外部モニタ機器に出力されて表示されることになる。
なお表示信号出力部１２は、表示画像として画像効果（画像エフェクト）を与える処理として、輝度変化、カラーバランス変化、コントラスト変化などの表示パラメータを変化させたり、キャラクタ画像やイメージ画像等の画像合成処理などを行うこともできる。
【手続補正４】
【補正対象書類名】明細書
【補正対象項目名】００３５
【補正方法】変更
【補正の内容】
【００３５】
イメージセンサ２０２は、光学系部２０１にて得られる撮像光を電気信号に変換する、いわゆる光電変換を行う。このために、イメージセンサ２０２は、光学系部２０１からの撮像光を光電変換素子の受光面にて受光し、受光された光の強さに応じて蓄積される信号電荷を、所定タイミングにより順次出力する。これにより、撮像光に対応した電気信号(撮像信号)が出力される。
なお、イメージセンサ２０２として採用される光電変換素子（撮像素子）としては、特に限定されるものではないが、現状であれば、例えばＣＭＯＳ（Complementary Metal Oxide Semiconductor）センサやＣＣＤ(Charge Coupled Device)などを挙げることができる。また、ＣＭＯＳセンサを採用する場合には、イメージセンサ２０２に相当するデバイス(部品)として、次に述べるＡ／Ｄコンバータ２０３に相当するアナログ−デジタル変換器も含めた構造とすることができる。
【手続補正５】
【補正対象書類名】明細書
【補正対象項目名】００６１
【補正方法】変更
【補正の内容】
【００６１】
このような情報処理装置では、ＣＰＵ３１１におけるソフトウエア構造、即ちアプリケーションプログラム、ＯＳ（Operating System）、デバイスドライバなどのソフトウエアに基づく演算処理／制御動作を行うことで、各種動作が実行される。
この場合、例えば図２の画像格納部１０として、ＨＤＤ３１９やメモリカード９０、或いはディスクドライブ部３２５に装填される光ディスクが機能し、図２の制御部１１としてＣＰＵ３１１が機能し、図２の表示信号出力部１２としてディスプレイコントローラ３１４が機能する。
そして、ディスクドライブ部３２５に装填された光ディスクに記録されている画像データや、メモリカード９０、ＨＤＤ３１９に記録されている画像データを読み出し、ディスプレイコントローラ３１４に転送して表示装置３２０に表示させることができる。これら場合に、ＣＰＵ３１１の制御のもとで本例の自動スクロール表示を実行させることができる。例えば図１（ｄ）（ｅ）で説明した表示動作である。
【手続補正６】
【補正対象書類名】明細書
【補正対象項目名】００８７
【補正方法】変更
【補正の内容】
【００８７】
ところで図１３（ａ）の処理例では、マニュアルモード処理の終了により、スクロール再開位置へは、ズームイン又はズームアウト、或いはパン・チルトとして、ユーザが任意に移動させた画像位置から徐々に戻すようにしたが、この場合は、徐々に戻さずに即座に画面切換を行っても良い。
図１３（ｂ）に処理例を示す。但し図１３（ｂ）のステップＦ１７１，Ｆ１７２，Ｆ１７３，Ｆ１７５は、図１３（ａ）と同様であり、ステップＦ１８０として、再開位置への表示切換を行うことのみが異なる。
例えばステップＦ１８０では、制御部１１は図１４（ｂ）のような表示状態から、ズームやパン・チルトを伴わず、瞬間的に図１４（ａ）の表示状態に切り換える。そしてその位置から自動スクロールを再開させる。
このように瞬時に切り換えるようにすれば、マニュアルモード処理が終了されて自動スクロール処理が再開されることをユーザにわかりやすくするという利点が得られる。
【手続補正７】
【補正対象書類名】明細書
【補正対象項目名】００９３
【補正方法】変更
【補正の内容】
【００９３】
図１５（ｆ）は、スクロール開始位置Ｐｓを非端部であって、ほぼ中央部（又は任意の部分）とし、スクロール終了位置Ｐｅを右端部分とした例である。
スクロール動作としては、スクロールＳＣＬ６のように、スクロール開始位置Ｐｓからスクロール開始位置Ｐｓへ行うことが考えられる。
また、スクロールＳＣＬ７のように、スクロール開始位置Ｐｓから左端部分に向かってスクロールを行い、その後折り返してスクロール終了位置Ｐｅに向かうようにすることなども考えられる。
この場合も、スクロール開始位置Ｐｓとスクロール終了位置Ｐｅを入れ替え、スクロールＳＣＬ６，ＳＣＬ７を、図とは逆方向に行う例も考えられる。
【手続補正８】
【補正対象書類名】明細書
【補正対象項目名】０１０７
【補正方法】変更
【補正の内容】
【０１０７】
＜９．第３の実施の形態−自動スクロール処理III＞
第３の実施の形態としての自動スクロール処理IIIを図１７で説明する。
この図１７に示す自動スクロール処理IIIは、静止画データ、特にパノラマ画像データとしての単画像を表示する際に、通常表示→スクロール表示→ズームアウト表示→通常表示というシーケンスで画像表示を行う処理である。
なお図１７において図６と同一の処理については同一のステップ番号を付し重複説明を避ける。
【手続補正９】
【補正対象書類名】明細書
【補正対象項目名】０１１１
【補正方法】変更
【補正の内容】
【０１１１】
第４の実施の形態の自動スクロール処理IVとしてスライドショウが開始された際の制御部１１の処理を図１８で説明する。
この図１８に示す自動スクロール処理IVは、複数の表示対象データとしての静止画データを順次連続して表示させる場合に、各画像データについて、通常表示→ズームイン表示→スクロール表示→ズームアウト表示→通常表示というシーケンスで表示を実行させる処理である。
【手続補正１０】
【補正対象書類名】明細書
【補正対象項目名】０１２５
【補正方法】変更
【補正の内容】
【０１２５】
この処理例の自動スクロール表示によっても、例えばパノラマ画像としての静止画データの表示においてユーザに適切な表示を提供できる。
特にこの処理例は、スクロール終了後にズームアウトを行わないことで、次の画像への切換を早くしたい場合に適している。
【手続補正１１】
【補正対象書類名】明細書
【補正対象項目名】０１２９
【補正方法】変更
【補正の内容】
【０１２９】
＜１３．自動スクロール設定処理＞
ここまで、ユーザが選択した１枚の画像を表示させる単画像表示の場合の自動スクロール処理Ｉ、II、IIIと、スライドショウ再生の場合の自動スクロール処理IV、Ｖ、VIについて説明した。特に自動スクロール処理IV、Ｖ、VIは、それぞれ自動スクロール処理Ｉ、II、IIIを順次表示対象とする各画像データの表示に適用する例とした。
ところが本実施の形態の表示制御装置としては、単画像表示の場合とスライドショウ再生の場合とで、動作設定を切り換えるということも考えられる。以下、そのような動作について説明する。